(57)【要約】      （修正有）【課題】磁石に吸着される構造物に対して設置容易な可撓性発光デバイス及びディスプレイを提供する。【解決手段】ＬＥＤ発光デバイス１を、可撓性基板３と、マトリックス状に配置されたＬＥＤ発光素子２と、裏面に配設される磁石５で構成する。【効果】可撓性基板３を用いてＬＥＤ発光デバイス１を構成していることから、曲面を有する構造物を支持体に用いても、構造物の形状に合わせた発光デバイス１の設置が可能になり、ディスプレイ全体を支える支持体を別途用意せずとも設置が可能になる。また、ＬＥＤ発光デバイス１の裏面に磁石５を配設したことで、磁石５が吸着する構造物に対して直接発光デバイスを設置することができ、作業性が格段に向上する。【選択図】図１
0003203324.tif 000002
【実用新案登録請求の範囲】
【請求項１】
ＬＥＤ素子を設置し、電力を供給する可撓性基板と、
前記基板面上にマトリックス状に配置された複数のＬＥＤ素子と、
を有する発光デバイスであって、
前記発光デバイスの発光表示面の反対面に磁石を配設したこと、
を特徴とする発光デバイス、
【請求項２】
前記発光デバイスの端面の全部又は一部が、発光表示面から裏面に向かって先細りになるテーパ形状を有すること、
を特徴とする請求項１に記載の発光デバイス
【請求項３】
前記テーパ形状のテーパ角θが４５°以上８５°以下であること、
を特徴とする請求項１、２に記載の発光デバイス
【請求項４】
請求項１〜３に記載の発光デバイスを複数組み合わせ、一体として情報を表示することができるディスプレイ
【考案の詳細な説明】
【技術分野】
【０００１】
本考案は、広告や装飾、照明に用いる発光デバイス、特に広告板、看板に用いる可撓性発光デバイスに関するものである。
【背景技術】
【０００２】
ＬＥＤ素子は、従来より、イルミネーション等を装飾する発光源として、また文字、装飾図形等を表示させる発光広告板、看板として広く用いられてきた。特に近年では、輝度の高いLED素子が提供され、鮮やかな色合いを有する画像やフルカラー画像を表示することができるようになっている。
【０００３】
しかし、これまでのＬＥＤ発光表示物は強直なプリント基板を用いるものが多かった。このため、ディスプレイを支える構造物が平面でない場合、ＬＥＤ発光表示物を支える支持体がさらに必要になること、ＬＥＤ発光表示物と構造物の間に無駄なスペースを生じること、これにより外観、デザイン性が劣ること等が問題視されていた。
上記問題点を解決するため、ＬＥＤ素子を用いた発光デバイスにおいても、柔軟性を有する基板を用いた可撓性ＬＥＤ発光デバイスが提案されている（特許文献１）。
しかし、特許文献１のような可撓性ＬＥＤ発光デバイスであっても壁面などへの装着のためには専門技術者による固定工事が必要となり、設置が容易ではなかった。
【先行技術文献】
【特許文献】
【０００４】
【特許文献１】特開２００９−０４２２６０
【考案の概要】
【考案が解決しようとする課題】
【０００５】
本考案は上記の問題点に鑑み、磁石に吸着される構造物に対して設置容易なLED発光デバイスを提供するものである。
【課題を解決するための手段】
【０００６】
本考案者らは、上記目的を達成するため検討を重ねた結果、ゴム、樹脂等の可撓性を有する基板を用いたＬＥＤ発光デバイスの裏面に磁石を配設し、鉄等、磁石に吸着される金属構造物に対して容易に設置可能なＬＥＤ発光デバイスを考案した。
【０００７】
すなわち、本考案は、
（１）ＬＥＤ素子を設置し、電力を供給する可撓性基板と、
前記基板面上にマトリックス状に配置された複数のＬＥＤ発光素子と、
を有する発光デバイスであって、
前記発光デバイスの発光表示面の反対面に磁石を配設したことを特徴とする発光デバイス、
（２）前記発光デバイスの端面の全部または一部が、発光表示面から裏面に向かって先細りになるテーパ形状を有すること特徴とする、（１）に記載の発光デバイス、
（３）前記テーパ形状のテーパ角が４５°〜８５°であること、
を特徴とする（１）、（２）に記載の発光デバイス
（４）前記（１）〜（３）に記載の発光デバイスを複数組み合わせ、一体として情報を表示するディスプレイ、
を提供するものである。
ここでテーパ角とは、発光平坦面に対するテーパ面の角度をいう。
【考案の効果】
【０００８】
本考案は、次のような効果を有する。
【０００９】
第１の考案では、可撓性部材を用いて発光デバイスを構成していることから、曲面を有する構造物を支持体に用いても、構造物の形状に合わせた発光デバイスの設置が可能になる。
【００１０】
また、ＬＥＤ発光デバイスの裏面に磁石を配設したことで、発光デバイスを、磁石に吸着される構造物に対して直接設置することができ、作業性が格段に向上する。
【００１１】
さらに、発光デバイスを複数個並べて設置し、全体として一つの表示物を表示することも可能である。これにより、単数の発光デバイスでは表現ができなかった迫力のある映像を提供することが可能となる。また、発光デバイスが磁石で設置されていることから、発光デバイスの取り外しが容易であり、ひいては複数の発光デバイスを表示物に合わせて設置・再構成することも容易になる。
【００１２】
しかし、複数の発光デバイスを組み合わせて曲面に設置する場合（特に凸面形状を有する支持体に設置する場合）、個々の発光デバイス間に隙間が生じやすく、この隙間が映像を表示する際に黒い線となって現れ、画像の視覚性、デザイン性を害することが多い。
【００１３】
第２の考案では、発光デバイスの端面が発光表示面から裏面に向かって先細りになるテーパ形状を有することから、凸面形状を有する支持体に設置する場合であっても、発光デバイス間に隙間が生じにくい。このため、複数の発光デバイスを有するディスプレイであっても、表示画像の視覚性、デザイン性の要求を満たす表示物を提供することができる。
【００１４】
第３の考案では適正な角度にテーパ角を制限していることから、デザイン性の高い表示画像を提供できるだけでなく、支持体の形状に追従した滑らかなディスプレイ面を作ることが可能になる。
【００１５】
また、第４の考案では発光デバイスを複数組み合わせ、一体のディスプレイとして情報を表示する。発光デバイスを組み合わせて用いることにより、上記の通り、単数の発光デバイスでは表現ができなかった迫力のある映像を提供することが可能となる。さらに、本考案では発光デバイスが磁石によって設置されているので、発光デバイスの取り外しが容易であり、位置を変更することで様々な大きさ、形状のディスプレイを再構成することが可能になる。このため表示するべき内容に合わせたディスプレイを設計することができ、表現の自由度が格段に高まる。
【考案を実施するための形態】
【００１６】
以下、図面を参照して本考案の実施形態を説明する。なお、以下の実施例は本考案の好適な実施形態を示したものであり、考案の技術的範囲は下記実施例に限定されるものではない。
【００１７】
本考案の発光デバイスは、図１に示すように、ＬＥＤ素子と、電力を供給する配線を有する可撓性基板と、発光面の裏側に配設された発光デバイスを固定・設置するための磁石を有する。なお、配線や部品を収納するケースを設けてもよい。
【００１８】
[ＬＥＤ素子]
ＬＥＤ発光素子としては公知のＬＥＤ素子を用いることができる。ＬＥＤ素子の配設個数には特段制限はない。また、赤色（Ｒ）、緑色（Ｇ）、青色（Ｂ）の３色よりなる１組以上の発光素子が実装されることでフルカラーの表示物を提供することが可能になる。
【００１９】
[可撓性基板]
本考案に用いられる可撓性基板の素材としては、ゴムまたは合成樹脂素材をはじめとした可撓性素材を用いることができる。例えば天然ゴム、スチレン・ブタジエンゴム、ブタジエンゴム、イソプレンゴム、アクリロニトリル・ブタジエンゴム、ブタジエン・アクリロニトリル・アクリレート系三元共重合体、ブタジエン・アクリロニトリル・イソプレン系三元共重合体、シリコンゴム、フッ素系ゴム、エチレン・プロピレンゴム（ＥＰＭ）、エチレン・プロピレン・ジエンゴム（ＥＰＤＭ）、スチレン系エラストマー、オレフィン系エラストマー、塩ビ系エラストマー、ウレタン系エラストマー、アミド系エラストマーなどのエラストマー、ポリウレタンなどを用いることができるがこれらに限定されるものではない。また、これらのゴムまたは合成樹脂を単体で用いてもよく、２種類以上をブレンドして用いてもよい。さらには２種類以上を積層してもよい。
【００２０】
[磁石]
本考案に利用される磁石は発光デバイスを設置・保持する磁力を有するものであれば材質、磁力、形状、数等は特に限定されず、永久磁石でも電磁石でもよい。特にメンテナンスフリーの観点から永久磁石が好ましい。例えば、マグネタイト、アルニコ磁石、フェライト磁石、希土類磁石（例えば、ネオジウム磁石、サマリウムコバルト磁石等）等が挙げられ、ボンド磁石でもよい。
【００２１】
[テーパ面]
テーパ面を有する発光デバイスを図２に示す。ここでテーパ角（テーパ角θ  図２中の７）とは発光平坦面に対するテーパ面の角度をいう。  
複数の発光デバイスを組み合わせて曲面に設置する場合、テーパ面がなければ図３（ｂ）、（ｃ）のような形態をとりやすくなる。特に凸面を有する支持体に発光デバイスを取り付けた場合、発光デバイス間に隙間が生じやすい。凸面に沿って発光デバイスを設置すると、発光デバイス中の発光面側の部材が支持体側の形状に追従して変形することができず、発光デバイス間に隙間が生じることになるからである（図３（ｂ））。この場合、生じた隙間が発光表示の際に黒い線となって現れ、表示画像の視覚性、デザイン性を害することになる。これは支持体の曲率が大きくなるほど、大きな隙間となって現れる（図３（ｃ））。
しかし、テーパ面を設けることで、図４のように隙間なく発光デバイスを設置してディスプレイを構成することができることから、視覚性、デザイン性を格段に向上させることができる。
テーパ面のテーパ角θは４５°以上８５°以下であることが好ましい。
テーパ角θが４５°以下であると、支持体の曲率によっては（曲率が大きくなった場合に）、発光デバイス間で支持体曲面に沿った滑らかな発光曲面を作ることができなくなるおそれがある。
また、テーパ角θが８５°以上であると、支持体の曲率によっては（曲率が大きくなった場合に）、テーパを設けた効果を十分に得ることができず、発光デバイス間に隙間を生じてしまい、表示画像の視覚性を害するおそれがある。
【００２２】
[発光ディスプレイの組み合わせ]
発光デバイスの大きさ、形状に制限はないが、一辺が５〜３０ｃｍ程度の長方形であることが望ましい。この程度の大きさであれば、発光デバイスの組み合わせにより巨大なディスプレイを構成することも可能であるし、複雑な曲面に対応してディスプレイを構成することも可能になる。
また、ディスプレイを構成する複数の発光デバイスは必ずしも近接していなくてもよい。各発光デバイスが離間して配置されていても、連動して一体の表示物を表示することで視覚的な効果を高めた画像を表示することが可能になる。
【図面の簡単な説明】
【００２３】
【図１】可撓性基板を用いたＬＥＤ発光デバイスの概略図[(a) 上面図、(b) 側面図、(c) 背面図]
【図２】端面がテーパ形状を有する発光デバイスの側面図
【図３】テーパ面を有しない発光デバイスを曲面（凸面）に設置した場合の概略図
【図４】テーパ面を有する発光デバイスを設置した場合の概略図[(a) 平面に設置した場合、(b) 凸面に設置した場合]
【符号の説明】
【００２４】
１  ＬＥＤ発光デバイス
２  ＬＥＤ素子
３  可撓性基板
４  ケース
５  磁石
６  テーパ面
７  テーパ角θ
８  発光デバイス間の隙間
【図１】
0003203324.tif 000003
【図２】
0003203324.tif 000004
【図３】
0003203324.tif 000005
【図４】
0003203324.tif 000006